(57)【要約】【課題】動画像データや静止画像データを添付可能な電子メール機器を使い、動画像データや静止画像データ付きで、電子メールを送信した場合、電子メールを受け取った方で、動画像データや静止画像データを独立したファイルとして保存を行うと、その動画像データや静止画像データが誰から、何時送られて来たものか判らなくなる。【解決手段】動画像データや静止画像データが添付可能な電子メール機器を使い、動画像データや静止画像データ付きで、電子メールを送信する場合、電子メールの内容を画像コード（例えば、バーコードや、ＱＲコード）化し、添付する動画像データや静止画像データ上に画像を重畳した形の動画像データや静止画像データに変換して、送信するようにする。【選択図】図２
2009098974.tif 000002
【特許請求の範囲】
【請求項１】
無線通信ユニット、音声入出力ユニット、キー入力ユニット、表示ユニットと、
画像撮影の為のカメラユニット、画像データの符号化機能と復号化機能、及び、画像データを保存する蓄積機能と、
任意の文字列を画像コードに変換する機能と電子メールの作成、送信機能を持つ情報機器装置において、
電子メールの作成時に、保存した画像データを任意に指定し、前記指定した画像データを前記電子メールに添付する際、
電子メールに含まれる宛名、件名、本文、差出人、時刻の何れか、又は全てを前記画像コードに変換する機能を用いて画像コードに変換し、
前記電子メールに添付する画像データを、前記画像データの復号化機能で復号化し、前記変換された画像コードを重畳した画像データを、前記画像データの符号化機能で符号化し、前記指定した画像データと置き換え、前記電子メールと共に送信することを特徴とする情報機器装置。
【請求項２】
請求項１に記載された情報機器装置において、
前記画像コードの前記画像データへの重畳座標及び、大きさの情報を予め保持しており、
前記画像コードを、前記電子メールに添付する前記画像データに重畳する際、予め指定された画像データの座標及び、大きさで重畳し、前記電子メールと共に送信することを特徴とする情報機器装置。
【請求項３】
請求項１または請求項２に記載された情報機器装置において、
前記画像コードの前記画像データへの重畳座標及び、大きさの情報を予め複数保持し、
前記画像データへの重畳座標及び、大きさの情報から、輪郭成分を抽出加算し、最も小さい輪郭成分を検出する機能を有し、
前記画像データの複数の重畳座標、大きさの内、最も画像データの輪郭成分が小さい座標位置に、前記画像コードを重畳し、前記電子メールと共に送信することを特徴とする情報機器装置。
【請求項４】
請求項１乃至請求項３のいずれかに記載された情報機器装置において、
前記電子メールに含まれる宛名、件名、本文、差出人、時刻から、複数の組合せの画像コードを生成する機能を持ち、
前記電子メールの作成時に、保存した画像データを任意に指定し、前記電子メールに添付する際、前記画像データの画像サイズにより、複数の画像コードの中から、選択できる機能を有し、選択した画像コードを前記画像データに重畳し、前記電子メールと共に送信することを特徴とする情報機器装置。
【請求項５】
請求項１乃至請求項４のいずれかに記載された情報機器装置において、
ＧＰＳユニット、ＧＰＳ用アンテナ及び、ＧＰＳユニットから得られた位置情報を保存する蓄積機能と、
前記位置情報を電子メール作成時に任意に読み出す機能を持ち、
前記電子メールに添付する画像データに重畳する画像コードを生成する際、
前記電子メールに含まれる宛名、件名、本文、差出人、時刻の何れか、又は全てに加え、前記位置情報を合せて、画像コードを生成し、前記画像データに重畳し、前記電子メールと共に送信することを特徴とする情報機器装置。
【請求項６】
請求項１乃至請求項５のいずれかに記載された情報機器装置において、
前記電子メールに添付する画像データに画像コードを重畳する否かを確認する問合せ機能を持ち、
前記電子メールに、前記画像データを添付する際、画像コードを前記画像データに重畳するか否かを確認することを特徴とする情報機器装置。
【請求項７】
請求項１乃至請求項６のいずれかに記載された情報機器装置において、
前記情報機器装置が、ＬＡＮ  ＩＦ、Ｉ／Ｏユニット、ＣＰＵ、ＢＩＯＳ  ＲＯＭ、ＲＡＭ、ＨＤＤ  ＩＦ、ＨＤＤ、グラフィックユニットを持つコンピュータ情報機器であることを特徴とする情報機器装置。
【請求項８】
請求項１乃至請求項６のいずれかに記載された情報機器装置において、
前記情報機器装置が、電子メール送信機能を有する携帯電話であることを特徴とする情報機器装置。
【請求項９】
請求項１乃至請求項６のいずれかに記載された情報機器装置において、
前記情報機器装置が、電子メール送信機能を有する情報機器であることを特徴とする情報機器装置。
【請求項１０】
ＬＡＮ、ＩＦ、Ｉ／Ｏユニット、ＣＰＵ、ＢＩＯＳ  ＲＯＭ、ＲＡＭ、ＨＤＤ  ＩＦ、ＨＤＤ、グラフィックユニットを持ち、
任意の文字列を画像コードに変換する機能と、画像データの符号化機能と復号化機能、及び、画像データを保存する蓄積機能と、電子メールの作成、送信プログラムと、を有するコンピュータ情報機器のアプリケーションソフトウェアであって、
電子メールの作成時に、保存した画像データを任意に指定し、電子メールに添付する操作がなされる際に、
前記コンピュータ情報機器に、
前記電子メールに含まれる宛名、件名、本文、差出人、時刻の何れか、又は全てを前記画像コードに変換する機能で画像コードに変換する手順と、
前記電子メールに添付する画像データを前記画像データの復号化機能を用いて復号化し、前記変換された画像コードを前記画像データに重畳する手順と、
前記変換された画像コードを重畳した前記画像データを前記画像データの符号化機能で符号化する手順と、
前記符号化された前記画像データを、前記指定した画像データと置き換え前記電子メールと共に送信する手順を備えた処理方法を実行させるためのアプリケーションソフトウェア。
【発明の詳細な説明】
【技術分野】
【０００１】
本発明は、電子メール送信機能を有するコンピュータ機器（以下、ＰＣと呼ぶ）、電子メール送信機能を有する携帯電話、または、電子メール送信機能を有する情報機器
の動作に関するものであり、特に電子メールに画像データを添付することが可能なソフトウェアを含む装置及び、画像処理方法に関するものである。
【背景技術】
【０００２】
近年、ＰＣ（Ｐｅｒｓｏｎａｌ  Ｃｏｍｐｕｔｅｒ）、携帯電話、及び、情報機器の普及により、電子メールによる対話、情報伝達が一般的に行われている。また、このようなＰＣ、携帯電話、及び、情報機器では、電子メールによる文字での情報伝達だけではなく、動画像データや静止画像データを電子メールに添付することが可能であり、特に、カメラ付き携帯電話においては、動画像、静止画像の撮影から、データの保存、電子メールの作成、保存データの電子メールへの添付、及び、電子メールの送信処理が、簡単に行えるようになっている。
【０００３】
また、特許文献１には、携帯情報端末において、特定のネットワーク上の機器にアクセスし、Ｗｅｂページの情報を取得する際、カメラ機能と２次元バーコードの情報を用いて、アドレス情報の入力操作を行うことなく容易に利用可能な通信システムが提案されている。
【特許文献１】特開２００５−５７５０１号公報
【発明の開示】
【発明が解決しようとする課題】
【０００４】
一般に、ＰＣ、携帯電話、及び、情報機器により、電子メールに動画像データや静止画像データを添付して送信した場合、その電子メールの受信者は、メールの文字と、添付されて来た画像データや静止画像データの情報を同様に、ＰＣ、携帯電話、及び、情報機器で見ることとなる。
【０００５】
図１５は、従来の技術による電子メールの実施形態である。図１５は、電子メールの作成、送信の処理フローであり、１１の「宛名」入力、１２の「件名」入力、１３の「本文入力」、１４の画像ファイルの添付処理部、１５の「メール送信」入力、１４の「画像ファイル」をメールに添付するかの判別、１５の「画像ファイル」選択、１６の「メール送信」入力、２０の「メール」送信処理から構成されている。
【０００６】
一般に、電子メールを作成、送信する場合の手順は、１１の「宛名」入力、１２の「件名」入力、１３の「本文入力」を行い、１４の「画像ファイル」をメールに添付する際には、１５の「画像ファイル」選択を行い、「画像ファイル」を添付しな場合には、１５の「画像ファイル」選択は行われず、１６の「メール送信」入力が実行され、２０の「メール」送信処理が実行される。
【０００７】
しかし、このとき電子メールに添付された動画像データや静止画像データは、電子メールとは、分離可能な別のファイルである為、動画像データや静止画像データを電子メールとは独立に保存、管理することが可能である。
【０００８】
これにより、電子メールに添付された動画像データや静止画像データを一旦、ＰＣ、携帯電話、及び、情報機器内に、電子メールとは別の独立したファイルとして、動画像データや静止画像データを保存した場合、動画像データや静止画像データが、どのようにして入手したファイルであるかといった情報が失われている。この為、動画像データや静止画像データの入手経路を特定することは困難となってしまう。
【課題を解決するための手段】
【０００９】
本発明による電子メール送信機能を有するＰＣ、携帯電話、及び、情報機器の情報機器装置では、電子メールに動画像データや静止画像データが添付された際、添付された動画像データや静止画像データに電子メールの情報を画像コード（例えば、バーコードやＱＲコード（Ｑｕｉｃｋ  Ｒｅｓｐｏｎｓｅ  ｃｏｄｅ））情報に変換、動画像データや静止画像データに画像重畳した後に、電子メールの送信処理を行うよう制御する。
【００１０】
本発明による電子メール送信機能を有するＰＣ、携帯電話、及び、情報機器の情報機器装置では、電子メールに動画像データや静止画像データが添付された際、添付された動画像データや静止画像データに電子メールの情報を画像コード（例えば、バーコードやＱＲコード）情報に変換、画像重畳した後に、電子メールの送信処理を行われる為、添付された動画像データや静止画像データに電子メールの情報が含まれることとなる。
【発明の効果】
【００１１】
本発明によれば、ＰＣ、携帯電話、及び、情報機器の情報機器装置の電子メールを受け取った側で、電子メールに添付された電子メールとは別の独立したファイルとして、動画像データや静止画像データを保存した場合でも、動画像データや静止画像データに重畳されている画像コード情報をバーコードリーダ対応機器で解析することにより、電子メールの文字情報が取得でき、動画像データや静止画像データの入手経路を容易に特定することが可能となる。
【発明を実施するための最良の形態】
【００１２】
以下、本発明の実施の形態を図面に基づいて詳細に説明する。
【実施例１】
【００１３】
図１は、本発明の実施例１の形態１である。図１のシステムは、１の無線通信ユニット、２の通信用アンテナ、３のカメラユニット、４の音声入出力ユニット、５のキー入力ユニット、６のＣＰＵ（Ｃｅｎｔｒａｌ  Ｐｒｏｃｅｓｓｉｎｇ  Ｕｎｉｔ）、７のＲＡＭ（Ｒａｎｄｏｍ  Ａｃｃｅｓｓ  Ｍｅｍｏｒｙ）、８のプログラムＲＯＭ（Ｒｅａｄ  Ｏｎｌｙ  Ｍｅｍｏｒｙ）、９の表示ユニット、１０の蓄積用メモリから構成されており、６のＣＰＵを中心に各メモリやユニットが接続されている。
【００１４】
図１は、一般的な携帯電話のシステム構成図を示したものであり、８のプログラムＲＯＭの内容を６のＣＰＵが７のＲＡＭ上にロードし、ロードされた８のプログラムＲＯＭのアプリケーションプログラムが、６のＣＰＵで処理、実行され、それぞれ必要に応じて、接続されたユニットを制御する構成としている。
【００１５】
電子メールの作成、送信のためのプログラム、電話のためのプログラム、静止画像撮影のプログラム及び、動画像撮影のプログラムは、８のプログラムＲＯＭに内蔵されている。
【００１６】
図２は、本発明の実施例１の形態２である。図２は、電子メールの作成、送信の処理フローであり、１１の「宛名」入力、１２の「件名」入力、１３の「本文入力」、１４の画像ファイルの添付処理部、１５の「メール送信」入力、１４の「画像ファイル」をメールに添付するかの判別、１５の「画像ファイル」選択、１６の「メール送信」入力、１７の「画像ファイル」が添付されているかの判別、１８の「メール情報」のＱＲコード化、１９の「画像データ」にＱＲコード付加、２０の「メール」送信処理から構成されている。
【００１７】
一般に、電子メールを作成、送信する場合の手順は、１１の「宛名」入力、１２の「件名」入力、１３の「本文入力」を行い、１４の「画像ファイル」をメールに添付する際には、１５の「画像ファイル」選択を行い、「画像ファイル」を添付しない場合には、１５の「画像ファイル」選択は行われず、１６の「メール送信」入力が実行される。
【００１８】
この際、１７の「画像ファイル」が添付されているかの判別を行い、「画像ファイル」が添付されている際には、１８の「メール情報」のＱＲコード化、１９の「画像ファイル」にＱＲコード付加を行い、２０の「メール」送信処理が実行され、１７の「画像ファイル」が添付されているかの判別で、「画像ファイル」が添付されていない場合には、２０の「メール」送信処理が実行される。
【００１９】
ここでは、説明の為、電子メールを作成する場合の手順として、１１の「宛名」入力、１２の「件名」入力、１３の「本文入力」、１４の「画像ファイル」をメールに添付、１５の「画像ファイル」選択を、順に説明したが、実際の電子メールを作成する場合の手順としては、１１、１２、１３、及び、１４、１５の入力順番に制限はなく、１１の「宛名」入力以外の項目は、任意に入力可能である。
【００２０】
本発明による技術では、電子メールを作成、送信する際、電子メールに「画像ファイル」が添付されている時に限り、「画像ファイル」に「メール情報」（「宛名」、「件名」、「本文」）が、ＱＲコード画像変換された情報として付加された後に、電子メールが送信されるようになる。
【００２１】
図３は、本発明の実施例１の形態３である。図３は、携帯電話における画面の例で、２１のメール作成画面である。２１のメール作成におけるそれぞれ、「宛名」、「件名」、「本文」、「添付」、「メール送信」は、図２の処理フローにおける、１１の「宛名」入力、１２の「件名」入力、１３の「本文入力」、１４の画像ファイルの添付処理部、１５の「メール送信」入力にそれぞれ対応している。また、図３の画面の例は、図１の５の表示ユニット上に表示される画面の例である。
【００２２】
図４は、本発明の実施例１の形態４である。図４は、２２の「メール情報」を、２４のＱＲコード変換処理にて、２５のＱＲコードに変換する処理手順を示したものである。図４の処理手順は、図２中の１８の「メール情報」のＱＲコード化に対応する処理を示している。
【００２３】
また、２２の「メール情報」には、２３の自動的に付加されるメール情報を含んでおり、差出人は、メールの発信元として機器自身に保持されているメールアドレスの情報であり、時刻は、機器自身が内蔵している時計から取得された「メール送信」入力が実行された時の時刻情報である。
【００２４】
本発明による技術では、メール送信の際、添付される画像ファイルに重畳されるＱＲコードの中に自動的に、差出人や、時刻情報を含めることが可能な為、画像ファイルが誰から、何時送られて来たのかの情報を含めることが可能となる。
【００２５】
図５は、本発明の実施例１の形態５である。図５は、２６の入力画像ファイル、２７の画像復号化処理、２８の復号画像、２９の画像重畳処理、２５のＱＲコード、３０のＱＲコード重畳画像、３１の画像符号化処理、３２の出力画像ファイルから構成されており、２６の入力画像ファイルと、２５のＱＲコードと、３２の出力画像ファイルの入出力関係を示したものである。
【００２６】
図５の処理手順は、図２中の１９の「画像ファイル」にＱＲコード付加に対応する処理を示している。また、２８の復号画像に、２５のＱＲコードを２９の画像重畳処理する際、２５のＱＲコードを２８の復号画像の上の中央部分から離れた位置に画像重畳処理することで、３０のＱＲコード重畳画像が得られるようになっている。
【００２７】
一般的には、２７の画像復号処理、３１の画像符号化処理には、静止画像データの場合には、ＪＰＥＧ（Ｊｏｉｎｔ  Ｐｈｏｔｏｇｒａｐｈｉｃ  Ｅｘｐｅｒｔｓ  Ｇｒｏｕｐ）形式やＰＮＧ（Ｐｏｒｔａｂｌｅ  Ｎｅｔｗｏｒｋ  Ｇｒａｐｈｉｃｓ）形式、動画像データの場合にはＭＰＥＧ（Ｍｏｖｉｎｇ  Ｐｉｃｔｕｒｅ  Ｅｘｐｅｒｔｓ  Ｇｒｏｕｐ）形式といった圧縮画像形式が用いられ、２８の復号画像、２５のＱＲコード、３０のＱＲコード重畳画像、２９の画像重畳処理には、ＢＭＰ（Ｂｉｔ  ＭａＰ）形式やＸＢＭ（Ｘ−Ｂｉｔｍａｐ）形式といった非圧縮画像形式が用いられる。
【００２８】
本発明による技術では、メール送信の際、添付される画像ファイルに重畳されるＱＲコードを、添付される画像ファイルの中央部分から離れた位置に画像重畳処理することで画像ファイルの品質を大きく劣化することなく、２５のＱＲコードを画像重畳処理することが可能となる。
【００２９】
また、ここでは、入力画像ファイルとして静止画像を用いた場合を説明したが、動画像についても、同様に扱うことが可能である。また、動画像の場合は、画像重畳処理するＱＲコードを、常に重畳するのではなく、動画像の開始部分にだけに挿入しても良い。
【００３０】
図６は、本発明の実施例１の形態６である。図６は、３３のＱＲコード重畳位置を概念的に示したものであり、少なくとも画像重畳されるＱＲコードは、３３のＱＲコード重畳位置をはみ出さないよう処理する為の、基準位置となる情報である。３３のＱＲコード重畳位置の大きさは、常に復号画像サイズの全体の大きさに合うよう相似形に伸縮するようにしても良い。
【００３１】
本発明による技術では、メール送信の際、添付される画像ファイルに重畳されるＱＲコードを、添付される画像ファイルの中央部分から離れた領域Ａ、領域Ｂ、領域Ｃ、又は、領域Ｄの何れかの位置に画像重畳処理することで画像ファイルの品質を大きく劣化することなく、２５のＱＲコードを画像重畳処理することが可能となる。
【００３２】
図７は、本発明の実施例１の形態７である。図７は、３４の復号画像およびＱＲコード重畳位置（ＱＲコード重畳位置は、図６の３３と同じものである）、３５は輪郭抽出処理Ａ、３６は輪郭抽出処理Ｂ、３７は輪郭抽出処理Ｃ、３８は輪郭抽出処理Ｄ、３９は最小値検出処理、４０は検出出力から構成されている。
【００３３】
図７の処理手順は、図５中の２９の画像重畳処理に対応している。図７の３５の輪郭抽出処理Ａ、３６の輪郭抽出処理Ｂ、３７の輪郭抽出処理Ｃ、３８の輪郭抽出処理Ｄでは、例えば映像高周波成分のみを抽出した後、各画素毎の絶対値演算と各輪郭抽出領域内の総和を求め、３９の最小値検出処理を行って、領域Ａ、領域Ｂ、領域Ｃ、領域Ｄの内、最も、小さい値の領域を求めることで、最も復号画像の画像ファイルの品質劣化が少なくなるよう処理するものである。
【００３４】
本発明による技術では、メール送信の際、添付される画像ファイルに重畳されるＱＲコードを、添付される画像ファイルの中央部分から離れた領域Ａ、領域Ｂ、領域Ｃ、又は、領域Ｄの内、最も平坦な画像領域に画像重畳処理することで画像ファイルの品質の劣化を最小とした、ＱＲコードを画像重畳処理することが可能となる。
【００３５】
図８は、本発明の実施例１の形態８である。図８は、２２の「メール情報」、４１の「メール情報」（差出人のみ）を、２４のＱＲコード変換処理にて、２５のＱＲコード、及び、４２のマイクロＱＲコードに変換する処理手順を示したものである。
【００３６】
図８の処理手順は、図２中の１８の「メール情報」のＱＲコード化に対応する処理を示している。ここでは、ＱＲコードの画像サイズを小さいサイズとする為、４１の「メール情報」（差出人のみ）も合せて、画像コード化したものである。
【００３７】
本発明による技術では、メール送信の際、添付される画像ファイルに重畳されるＱＲコードを、画像サイズの異なったＱＲコード画像として生成することが可能となる。
【００３８】
図９は、本発明の実施例１の形態９である。図９は、４６の画像サイズ検出処理、４７の画像選択処理、４８の画像変換処理、２９の画像重畳処理から構成されており、画像データとして、４３の高解像度画像データ、４４の中解像度画像データ、４５の低解像度画像データの何れかが、４６の画像サイズ検出処理に入力され、ＱＲコードとして、２５のＱＲコード、４２のマイクロＱＲコード、又は、ＱＲコードなしが、４７の画像選択処理に入力され、４６の画像サイズ検出処理に入力された画像データの解像度により、４７の画像選択処理が行われ、その出力が４８の画像変換処理で、サイズ変換され、４９の画像重畳処理で処理された後、４６の画像サイズ検出処理に対応した、５０のＱＲコードを付加した高解像度画像データ、５１のマイクロＱＲコードを付加した中解像度画像データ、または、５２のＱＲコードを付加しない低解像度画像データが得られる構成となっている。
【００３９】
上記の説明における画像データは、非圧縮画像形式（ＢＭＰ形式やＸＢＭ形式）を用いて説明したが、画像データの入力側に画像復号化処理、画像データの出力側に画像符号化処理を追加することにより、圧縮画像形式（静止画の場合、ＪＰＥＧ形式やＰＮＧ形式、動画の場合ＭＰＥＧ形式）を用いても良い。
【００４０】
図９の処理手順は、図５中の２９の画像重畳処理に対応した実装形態の例である。本発明による技術では、メール送信の際、添付される画像ファイルの画像サイズによって、重畳されるＱＲコードの画像サイズを、添付される画像ファイルの画像サイズから適応的に決定でき、画像重畳処理することで画像ファイルの品質の劣化を抑制することが可能となる。
【実施例２】
【００４１】
図１０は、本発明の実施例２の形態１である。図１０のシステムは、１の無線通信ユニット、２の通信用アンテナ、３のカメラユニット、４の音声入出力ユニット、５のキー入力ユニット、６のＣＰＵ、７のＲＡＭ、８のプログラムＲＯＭ、９の表示ユニット、１０の蓄積用メモリ、５３のＧＰＳ（Ｇｒｏｂａｌ  Ｐｏｓｉｔｉｏｎｉｎｎｇ  Ｓｙｓｔｅｍ）ユニット、５４のＧＰＳ用アンテナから構成されており、６のＣＰＵを中心に各メモリやユニットが接続されている。
【００４２】
図１０は、一般的なＧＰＳ機能付き携帯電話のシステム構成図を示したものであり、８のプログラムＲＯＭの内容を６のＣＰＵが７のＲＡＭ上にロードし、ロードされた８のプログラムＲＯＭのアプリケーションプログラムが、６のＣＰＵで処理、実行され、それぞれ必要に応じて、接続されたユニットを制御する構成としている。
【００４３】
電子メールの作成、送信のためのプログラム、電話のためのプログラム、静止画像撮影のプログラム、動画像撮影のプログラム及び、ＧＰＳのプログラムは、８のプログラムＲＯＭに内蔵されている。
【００４４】
また、５４のＧＰＳユニットから得られる位置情報は、３のカメラユニットを用いた静止画撮影や、動画画像撮影毎、または、電子メール送信毎に、１０の蓄積メモリに位置情報として格納され、必要に応じて、位置情報の取り出しが可能となっている。
【００４５】
図１１は、本発明の実施例２の形態２である。図１１は、５５の「メール情報」（位置情報を含む）、５６の「メール情報」（差出人と位置情報のみ）を、２４のＱＲコード変換処理にて、５７のＱＲコード、及び、５８のマイクロＱＲコードに変換する処理手順を示したものである。
【００４６】
図１１の処理手順は、図２中の１８の「メール情報」のＱＲコード化に対応する処理を示している。ここでは、ＱＲコードの画像サイズを小さいサイズとする為、５６の「メール情報」（差出人と位置情報のみ）も合せて、画像コード化したものである。
【００４７】
本発明による技術では、メール送信の際、添付される画像ファイルに重畳されるＱＲコードを、画像サイズの異なったＱＲコード画像として生成することが可能となる。
【００４８】
図１２は、本発明の実施例２の形態３である。図１２は、電子メールの作成、送信の処理フローであり、１１の「宛名」入力、１２の「件名」入力、１３の「本文入力」、、１４の画像ファイルの添付処理部、１５の「メール送信」入力、１４の「画像ファイル」をメールに添付するかの確認、１５の「画像ファイル」選択、１６の「メール送信」入力、５９の「画像ファイル」に情報を添付するかの判別、６０の「メール情報」及び「位置情報」のＱＲコード化、１９の「画像データ」にＱＲコード付加、２０の「メール」送信処理から構成されている。
【００４９】
一般に、電子メールを作成、送信する場合の手順は、１１の「宛名」入力、１２の「件名」入力、１３の「本文入力」を行い、１４の「画像ファイル」をメールに添付する際には、１５の「画像ファイル」選択を行い、「画像ファイル」を添付しな場合には、１５の「画像ファイル」選択は行われず、１６の「メール送信」入力が実行される。
【００５０】
この際、５９の「画像ファイル」に情報を添付するかの確認を行い、「画像ファイル」にメール情報を添付する際には、６０の「メール情報」及び「位置情報」のＱＲコード化、１９の「画像ファイル」にＱＲコード付加を行い、２０の「メール」送信処理が実行され、、５９の「画像ファイル」に情報を添付するかの判別で、「画像ファイル」を添付しない場合には、２０の「メール」送信処理が実行される。
【００５１】
ここでは、説明の為、電子メールを作成する場合の手順として、１１の「宛名」入力、１２の「件名」入力、１３の「本文入力」、１４の「画像ファイル」をメールに添付、１５の「画像ファイル」選択を、順に説明したが、実際の電子メールを作成する場合の手順としては、１１、１２、１３、及び、１４、１５の入力順番に制限はなく、１１の「宛名」入力以外の項目は、任意に入力可能である。
【００５２】
本発明による技術では、電子メールを作成、送信する際、電子メールに「画像ファイル」にメール情報の添付がユーザにより許可された時に限り、「画像ファイル」に「メール情報」（「宛名」、「件名」、「本文」）が、ＱＲコード画像変換された情報として付加された後に、電子メールが送信されるようになる。
【実施例３】
【００５３】
図１３は、本発明の実施例３の形態１である。図１３のシステムは、６１のＰＣの構成を示したのもで、６２のＣＰＵ、６３のＲＡＭ、６４のＢＩＯＳ−ＲＯＭ（Ｂａｓｉｃ  Ｉｎｐｕｔ／Ｏｕｔｐｕｔ  Ｓｙｓｔｅｍ  Ｒｅａｄ  Ｏｎｌｙ  Ｍｅｍｏｒｙ）、６５のＨＤＤ  ＩＦ（Ｈａｒｄ  Ｄｉｓｋ  Ｉｎｔｅｒｆａｃｅ）、６６のＨＤＤ、６７のＬＡＮ  ＩＦ（Ｌｏｃａｌ  Ａｒｅａ  Ｎｅｔｗｏｒｋ  Ｉｎｔｅｒｆａｃｅ）、６８のＩ／Ｏ（Ｉｎｐｕｔ／Ｏｕｔｐｕｔ）ユニット、６９のグラフィックユニットから構成されており、外部機器として、６８のＩ／Ｏユニットに７０のキーボードと、７１のマウス、及び、６９のグラフィックユニットに７２のモニタがそれぞれ接続されている。
【００５４】
図１３は、一般的なＬＡＮ機能付きＰＣシステムであり、まず、６４のＢＩＯＳ  ＲＯＭから起動し、６６のＨＤＤの内容を６２のＣＰＵが６５のＨＤＤ  ＩＦを介して、６３のＲＡＭ上にロードし、ロードされた６６のＨＤＤ中のＯＳ（オペレーショナルシステム）及び、アプリケーションプログラムが、６２のＣＰＵで処理、実行され、それぞれ必要に応じて、接続された外部デバイスを制御する構成としている。ＯＳや、電子メールの作成、送信のためのプログラムは、６６のＨＤＤに内蔵されている。
【００５５】
図１４は、本発明の実施例３の形態２である。図１４は、ＰＣにおける画面の例で、７３のメール作成画面である。
【００５６】
７３のメール作成におけるそれぞれ、「宛名」、「件名」、「本文」、「添付」、「メール送信」は、図２の処理フローにおける、１１の「宛名」入力、１２の「件名」入力、１３の「本文入力」、１４の画像ファイルの添付処理部、１５の「メール送信」入力にそれぞれ対応している。また、図１４の画面の例は、図１３の７２のモニタに表示される画面の例である。
【産業上の利用可能性】
【００５７】
本発明は、電子メール送信機能を有するＰＣ、携帯電話、及び、情報機器において、動画像データや静止画像データが添付可能な機器に関するものであり、特にＰＣ向けの電子メールプログラムや、特にカメラ付き携帯電話の電子メールプログラムに利用することができる。
【００５８】
これにより、電子メールに動画像データや静止画像データが添付され、電子メールの受け取り側で、動画像データや静止画像データが、電子メールとは別の独立したファイルとして保存された場合においても、動画像データや静止画像データが、誰から、何時、送付されたものか、カメラ付き携帯電話が具備しているバーコードリーダを用いることで、簡単に確認することが可能である。
【図面の簡単な説明】
【００５９】
【図１】本発明の実施例１の形態１のシステム構成図である。
【図２】本発明の実施例１の形態２を示す処理フロー図である。
【図３】本発明の実施例１の形態３を示すメール入力画面である。
【図４】本発明の実施例１の形態４を示すメール情報のＱＲコード変換図である。
【図５】本発明の実施例１の形態５を示す画像処理フロー図である。
【図６】本発明の実施例１の形態６を示すＱＲコード重畳位置データである。
【図７】本発明の実施例１の形態７を示すＱＲコード重畳位置判定フロー図である。
【図８】本発明の実施例１の形態８を示すメール情報のＱＲコード変換図である。
【図９】本発明の実施例１の形態９を示す画像サイズ別処理フロー図である。
【図１０】本発明の実施例２の形態１のシステム構成図である。
【図１１】本発明の実施例２の形態２を示すメール情報のＱＲコード変換図である。
【図１２】本発明の実施例２の形態３を示す処理フロー図である。
【図１３】本発明の実施例３の形態１のシステム構成図である。
【図１４】本発明の実施例３の形態２を示すメール入力画面である。
【図１５】従来の技術による電子メールの実施の形態を示す処理フロー図である。
【符号の説明】
【００６０】
１    無線通信ユニット
２    通信用アンテナ
３    カメラユニット
４    音声入出力ユニット
５    キー入力ユニット
６    ＣＰＵ
７    ＲＡＭ
８    プログラムＲＯＭ
９    表示ユニット
１０    蓄積用メモリ
１１    「宛名」入力
１２    「件名」入力
１３    「本文」入力
１４    「画像ファイル」をメールに添付するかの判別
１５    「画像ファイル」選択
１６    「メール送信」入力
１７    「画像ファイル」が添付されているかの判別
１８    「メール情報」のＱＲコード化
１９    「画像ファイル」にＱＲコード付加
２０    「メール」送信処
２１    携帯電話でのメール作成画面
２２    メール情報
２３    自動的に付加されるメール情報
２４    ＱＲコード変換処理
２５    ＱＲコード
２６    入力画像ファイル
２７    画像復号化処理
２８    復号画像
２９    画像重畳処理
３０    ＱＲコード重畳画像
３１    画像復号化処理
３２    出力画像ファイル
３３    ＱＲコード重畳位置
３４    復号画像およびＱＲコード重畳位置
３５    輪郭抽出処理Ａ
３６    輪郭抽出処理Ｂ
３７    輪郭抽出処理Ｃ
３８    輪郭抽出処理Ｄ
３９    最小値検出処理
４０    検出出力
４１    メール情報
４２    マイクロＱＲコード
４３    高解像度画像データ
４４    中解像度画像データ
４５    低解像度画像データ
４６    画像サイズ検出処理
４７    画像選択処理
４８    画像変換処理
４９    画像重畳処理
５０    ＱＲコードを付加した高解像度画像データ
５１    マイクロＱＲコードを付加した中解像度画像データ
５２    ＱＲコードを付加しない低解像度画像データ
５３    ＧＰＳユニット
５４    ＧＰＳ用アンテナ
５５    メール情報および位置情報
５６    メール情報および位置情報
５７    位置情報を含むＱＲコード
５８    位置情報を含むマイクロＱＲコード
５９    「画像ファイル」に情報を添付するかの判別
６０    「メール情報」及び「位置情報」のＱＲコード
６１    パーソナルコンピューター本体
６２    ＣＰＵ
６３    ＲＡＭ
６４    ＢＩＯＳ−ＲＯＭ
６５    ＨＤＤ  ＩＦ
６６    ＨＤＤ
６７    ＬＡＮ  ＩＦ
６８    Ｉ／Ｏユニット
６９    グラフィックユニット
７０    キーボード
７１    マウス
７２    モニタ
７３    ＰＣでのメール作成画面
【図１】
2009098974.tif 000003
【図２】
2009098974.tif 000004
【図３】
2009098974.tif 000005
【図４】
2009098974.tif 000006
【図５】
2009098974.tif 000007
【図６】
2009098974.tif 000008
【図７】
2009098974.tif 000009
【図８】
2009098974.tif 000010
【図９】
2009098974.tif 000011
【図１０】
2009098974.tif 000012
【図１１】
2009098974.tif 000013
【図１２】
2009098974.tif 000014
【図１３】
2009098974.tif 000015
【図１４】
2009098974.tif 000016
【図１５】
2009098974.tif 000017